(57)【要約】【課題】加熱室に付帯する部品の高温化を抑制する加熱調理器を得る。【解決手段】背面吸込口２５及び背面吸込口２５よりも低い位置に設けられた吹出口２６を有する調理室２０と、調理室２０内を上方から加熱する上ヒーター２２と、調理室２０とは別に区画形成され、背面吸込口２５及び吹出口２６を介して調理室２０と連通する加熱室４２と、加熱室４２内を加熱するコンベクションヒーター４４と、加熱室４２内の空気を吹出口２６を介して調理室２０に送るコンベクションファン４３と、コンベクションファン４３を回転させるモーター４５と、モーター４５に向けて送風するモーター冷却ファン４８とを備え、モーター冷却ファン４８から送られる風の風路上に、モーター４５の軸受４５２並びに端子部４５１、コンベクションヒーター４４の端子部４４１、及び上ヒーター２２の端子部２２１が配置されている。【選択図】図９
2014059128.tif 000002
【特許請求の範囲】
【請求項１】
吸込口及び前記吸込口よりも低い位置に設けられた吹出口を有し、内部に被加熱物が収容される調理室と、
前記調理室内を上方から加熱する上方加熱手段と、
前記調理室とは別に区画形成され、前記吸込口及び前記吹出口を介して前記調理室と連通する加熱室と、
前記加熱室内を加熱する加熱室加熱手段と、
前記加熱室内に設けられ、前記加熱室内の空気を前記吹出口を介して前記調理室に送るファンと、
前記加熱室とは別に設けられたモーター収容ケース内に配置され、前記ファンを回転させるモーターと、
前記モーター収容ケース内に設けられ、前記モーターに向けて送風するモーター冷却ファンとを備え、
前記モーター冷却ファンから送られる風の風路上に、前記モーターの軸受、前記モーターの端子部、前記加熱室加熱手段の端子部、及び前記上方加熱手段の端子部の少なくとも一つ以上が配置されている
ことを特徴とする加熱調理器。
【請求項２】
前記モーター冷却ファンから送られる風の流路の一部に前記モーターが配置され、
前記モーター冷却ファンから送られる風の流路上であって、当該風の流れ方向に見て前記モーターと重ならない位置に、前記加熱室加熱手段の端子部及び前記上方加熱手段の端子部のいずれか又は両方が設けられている
ことを特徴とする請求項１記載の加熱調理器。
【請求項３】
前記調理室、前記加熱室、及び前記モーター収容ケースが内部に収納される筐体を備え、
前記筐体の後壁の下部は、下側が前方に向かって傾いた傾斜面が設けられており、
前記モーター収容ケースは、前記筐体の後壁に対向する位置に、当該モーター収容ケースへの空気の流入口を備えた
ことを特徴とする請求項１または請求項２記載の加熱調理器。
【発明の詳細な説明】
【技術分野】
【０００１】
本発明は、調理室内に収容された被加熱物を加熱する加熱調理器に関する。
【背景技術】
【０００２】
従来、調理室内に収容された被加熱物に熱気を吹き付けて加熱する加熱調理器として、「調理物を収納する調理室と、調理物を上方から加熱する第１の加熱手段と、空気を加熱する第２の加熱手段を有した加熱室と、前記加熱室の空気を前記調理室へ送り込む吹き出し口と、前記調理室の空気を前記加熱室へ送り込む吸い込み口と、前記吹き出し口および前記吸い込み口を介して前記調理室と前記加熱室の空気を入れ替える送風手段と」を備えた加熱調理器が提案されている（例えば、特許文献１参照）。
【先行技術文献】
【特許文献】
【０００３】
【特許文献１】特開２０１０−５７８４７号公報（第６頁、第９頁、図６）
【発明の概要】
【発明が解決しようとする課題】
【０００４】
しかしながら、上記特許文献１に記載の加熱調理器においては、内部に設けられた加熱手段や流通する高温の空気によって加熱室内が高温になり、送風手段を駆動するモーターの軸受及び加熱手段の端子も高温化して耐熱温度を超えてしまうおそれがあった。このため、加熱室に付帯する部品の高温化を抑制することのできる加熱調理器が望まれていた。
【０００５】
本発明は、上記のような課題を背景としてなされたものであり、加熱室に付帯する部品の高温化を抑制することのできる加熱調理器を提供するものである。
【課題を解決するための手段】
【０００６】
本発明に係る加熱調理器は、吸込口及び前記吸込口よりも低い位置に設けられた吹出口を有し、内部に被加熱物が収容される調理室と、前記調理室内を上方から加熱する上方加熱手段と、前記調理室とは別に区画形成され、前記吸込口及び前記吹出口を介して前記調理室と連通する加熱室と、前記加熱室内を加熱する加熱室加熱手段と、前記加熱室内に設けられ、前記加熱室内の空気を前記吹出口を介して前記調理室に送るファンと、前記加熱室とは別に設けられたモーター収容ケース内に配置され、前記ファンを回転させるモーターと、前記モーター収容ケース内に設けられ、前記モーターに向けて送風するモーター冷却ファンとを備え、前記モーター冷却ファンから送られる風の風路上に、前記モーターの軸受、前記モーターの端子部、前記加熱室加熱手段の端子部、及び前記上方加熱手段の端子部の少なくとも一つ以上が配置されているものである。
【発明の効果】
【０００７】
本発明によれば、加熱室の空気を調理室に送るファンのモーターの軸受、モーターの端子部、及び加熱室加熱手段の端子部を効率良く冷却することができ、これらの部品の高温化を抑制することができる。
【図面の簡単な説明】
【０００８】
【図１】実施の形態１に係る加熱調理器１００を示す斜視図である。
【図２】実施の形態１に係る加熱調理器１００の筐体１内部の主要部の斜視図である。
【図３】実施の形態１に係る調理室２０、吸引ダクト３０、及びコンベクションユニット４０の斜視図であり、一部を分解して示している。
【図４】実施の形態１に係る調理室２０、吸引ダクト３０、及びコンベクションユニット４０の概略断面図である。
【図５】実施の形態１に係るコンベクションユニット４０の斜視図である。
【図６】実施の形態１に係るモーター収容ケース４６及びこれに付帯する構成の斜視図である。
【図７】実施の形態１に係る調理室２０及びコンベクションユニット４０の平面図である。
【図８】実施の形態１に係る調理室２０及びコンベクションユニット４０の側面図である。
【図９】図８のＡ−Ａ断面図である。
【図１０】実施の形態１に係る加熱調理器１００のコンベクションユニット４０近傍の背面図である。
【図１１】実施の形態１に係る加熱調理器１００のコンベクションユニット４０近傍の背面側斜視図である。
【図１２】実施の形態１に係る加熱調理器１００を一部破断して示す側面図である。
【発明を実施するための形態】
【０００９】
以下、本発明に係る加熱調理器を、誘導加熱による調理鍋載置部を左右手前に二口と中央奥側に一口設けた、ビルトイン型（組込み型）の加熱調理器（ＩＨクッキングヒーター）に適用した場合を例に説明する。なお、以下に示す図面の形態によって本発明が限定されるものではない。また、各図において、同一の構成には同一の符号を付している。
【００１０】
実施の形態１．
［加熱調理器１００の構成］
図１は、実施の形態１に係る加熱調理器１００を示す斜視図である。
図１において加熱調理器１００の筐体１の上側には、筐体上枠２が着脱自在に配置される。筐体上枠２の中央にはトッププレート３、前面側には操作部４、後部右側には筐体吸気口５、後部左側には筐体排気口６が設けられている。筐体吸気口５及び筐体排気口６は、吸排気口カバー７によって覆われている。また、筐体１の内部には、調理室２０が設けられている。
【００１１】
トッププレート３には、鍋等の被加熱物（図示せず）が載置される載置部９が設けられている。本実施の形態１では、トッププレート３の前面側右、背面側中央、及び前面側左、の３箇所に載置部９が設けられている。筐体１内のトッププレート３の下方には、各載置部９に対向する位置に、載置部９に載置される被加熱物を加熱するための加熱手段として誘導加熱コイルが設けられている。加熱手段としては、誘導加熱コイルのほか、例えばラジエントヒーター等の電気ヒーターを用いることができるが、具体的な加熱手段はこれらに限定されない。また、本実施の形態１では、トッププレート３上においても加熱調理を行う加熱調理器を例に示しているが、トッププレート３上において加熱調理を行うための加熱手段は必要に応じて搭載すればよく、調理室２０における加熱調理のみを行う加熱調理器としてもよい。
【００１２】
また、トッププレート３には、液晶画面やＬＥＤ等の視覚的な表示手段を備えた表示部８が設けられている。表示部８は、加熱調理器１００の動作状態、操作部４に対する入力内容等を表示するとともに、使用者に対して加熱調理器１００の状態等を報知する報知手段として機能する。なお、本実施の形態１では、報知手段として表示部８を設けた例を示すが、表示部８に代えてあるいはこれに加えて、音声で報知を行うブザーやスピーカ等の報知手段を備えてもよい。
【００１３】
操作部４は、加熱調理器１００における加熱動作の設定を受け付けるための操作ボタンやスイッチ等で構成されている。本実施の形態１では、筐体１の前面にも操作部４が設けられている。操作部４の具体的構成を限定するものではなく、例えばタッチパネルにより構成された操作部４を設けてもよい。
【００１４】
筐体吸気口５は、加熱調理器１００の内部に設けられた各種発熱部品を冷却するための冷却風を筐体１の内部に導入するための開口部である。筐体排気口６は、加熱調理器１００の内部を冷却した後の冷却風及び調理室２０からの排気を、筐体１の外部に排出するための開口部である。通常の使用状態においては、筐体吸気口５及び筐体排気口６は、図１に示すように吸排気口カバー７によって覆われている。
吸排気口カバー７は、通気性を有するパンチングメタル又は格子状の金属部材で構成されていて通気性があり、通気抵抗が少ない。冷却風の吸気及び排気、並びに調理室２０からの排気は、吸排気口カバー７をスムースに通過する。
【００１５】
筐体１の前面の左側には、調理室扉２１が設けられている。この調理室扉２１は、筐体１内に設けられた調理室２０の前面開口部を開閉自在に覆う扉であり、調理室２０内で調理される被加熱物を調理室２０内に出し入れできるように、奥行き方向にスライド可能である。また、調理室扉２１は、調理室２０及び調理室扉２１自身の清掃等のメンテナンスを容易にするため、調理室２０に対して着脱可能に構成されている。
【００１６】
なお、本実施の形態１の調理室２０、操作部４、及び表示部８の配置は一例であり、これに限るものではない。例えば、調理室２０を筐体１の中央や右側に寄せて配置してもよい。また、操作部４を、トッププレート３と筐体１の前面の両方に設けるのではなく、いずれかにのみ設けてもよい。
【００１７】
図２は、実施の形態１に係る加熱調理器１００の筐体１内部の主要部の斜視図である。図２は、加熱調理器１００から、筐体上枠２、トッププレート３、吸排気口カバー７、及びトッププレート３に載置される被加熱物を加熱するための加熱手段を取り外した状態を示している。図２に示すように、筐体１の内部は、仕切板１０によって概ね左右に仕切られており、一方の収容空間（図２の紙面右側）には基板ユニット１１が収容され、他方の収容空間（図２の紙面左側）には調理室２０が収容されている。
【００１８】
なお、図示しないが、基板ユニット１１と調理室２０の上側には、筐体１の内部を上下に仕切る上下仕切板が配置され、この上下仕切板の上に誘導加熱コイル等の加熱手段が配置される。
【００１９】
基板ユニット１１は、内部に収容空間を有する基板ケース１１１を有する。この基板ケース１１１の内部には、加熱調理器１００を構成する発熱部品に冷却風を送るための冷却ファン、トッププレート３に載置される被加熱物を加熱するための誘導加熱コイルに高周波電力を供給するインバータ回路、及び調理室２０を含め加熱調理器１００を構成する各部を制御するためのマイコンや制御回路等の電子部品が実装された電子回路基板等が収容されている。なお、図２では、基板ユニット１１内に収容される部品は図示していない。また、本実施の形態１では、加熱調理器１００の動作を制御する機能部品の集合体を、制御手段と称する。
【００２０】
基板ケース１１１の上面には、複数の冷却風吹出口１２が開口している。基板ユニット１１内に設けられた冷却ファンが動作すると、筐体１の外部の空気が筐体吸気口５から筐体１内に吸い込まれ、吸い込まれた空気は基板ケース１１１内に流入する。基板ケース１１１内に流入した空気は、冷却ファンにより吸引されて送出され、冷却風としてインバータ回路及び電子回路基板を冷却した後、冷却風吹出口１２から基板ケース１１１の外側へ吹き出される。
【００２１】
冷却風吹出口１２から吹き出された冷却風は、筐体１の後部に向かって筐体１内を流れ、その過程において、基板ユニット１１及び調理室２０の上に配置される誘導加熱コイル等の加熱手段を冷却する。加熱手段を冷却した後の冷却風は、筐体排気口６から筐体１の外部へと排出される。
【００２２】
調理室２０は、食材等の被加熱物を収容する収容空間を内部に有し、前面を開口している。調理室２０の前面開口は、図１に示した調理室扉２１によって開閉自在に覆われる。調理室２０の上には吸引ダクト３０が設けられ、調理室２０の背面にはコンベクションユニット４０が設けられている。調理室２０、吸引ダクト３０、及びコンベクションユニット４０は互いに連通している。また、コンベクションユニット４０には、調理室２０内の空気を排気する調理室排気ダクト４１が設けられている。
【００２３】
（調理室２０）
図３は、実施の形態１に係る調理室２０、吸引ダクト３０、及びコンベクションユニット４０の斜視図であり、一部を分解して示している。図４は、実施の形態１に係る調理室２０、吸引ダクト３０、及びコンベクションユニット４０の概略断面図である。図３及び図４を参照して調理室２０の構成を説明する。
調理室２０は、略直方体の外形を有する。調理室２０の外郭のうち、天面を構成する部分を上壁２０１、左右両側の壁を側壁２０２、前面開口と対向する壁を後壁２０３と称する。調理室２０の内部の上方には、調理室２０内を上方から加熱する上ヒーター２２が設けられている。本実施の形態１の上ヒーター２２は、抵抗発熱体であるシーズヒーターである。この上ヒーター２２は、幅方向及び奥行き方向に複数回折り曲げられた形状を有しており、調理室２０内の幅方向及び奥行き方向において広範囲に加熱することができる。上ヒーター２２の端子部２２１は、調理室２０の後壁２０３の右側に設けられた開口部から、外部へ突出している。上ヒーター２２の端子部２２１は、基板ユニット１１内の電子回路基板に配線接続され、上ヒーター２２の加熱の有無や加熱量は、制御手段によって制御される。
【００２４】
なお、本実施の形態１では、調理室２０内を上方から加熱する上方加熱手段としてシーズヒーターからなる上ヒーター２２を設ける例を示したが、シーズヒーターに代えて、遠赤外線ヒーター、近赤外線ヒーター、又はカーボンヒーター等を用いてもよい。また、調理室２０内に上ヒーター２２を設けるのではなく、調理室２０の上壁２０１の上側にフラットヒーターや誘導加熱コイルを設け、これらにより調理室２０の上壁２０１を加熱してもよい。調理室２０内の被加熱物を、放射又は空気の熱伝達で上方から加熱できる手段であれば、上ヒーター２２として任意の構成を採用することができる。
【００２５】
調理室２０の内部の下方には、被加熱物から滴下する油や汁を受けるための受皿２３が設けられている。受皿２３は、調理室２０の内部から取り外すことができるように構成されている。受皿２３の外周部には周壁が設けられており、被加熱物から滴下した油や汁を受皿２３内に溜めることができる。
【００２６】
受皿２３の上には、被加熱物が載置される調理台としての調理網２４が、着脱自在に載置されている。調理網２４の載置面２４１は、例えば左右方向に延びる棒状のステンレス鋼を複数並べて構成された、いわゆるストレートタイプの焼網で構成されている。調理網２４の素材は、耐熱性のある素材で調理に適した毒性のない素材であればステンレス鋼以外でもよく、また、素材の表面に非粘着性や防汚性を備えた無機セラミックコーティング剤等を塗布してもよい。また、調理網２４は、受皿２３上に起立する脚部２４２を有する。載置面２４１と受皿２３との間には、脚部２４２の高さ分の通風空間５０が形成されている。なお、調理網２４の載置面２４１の形状は図示のものに限定されず、格子状の焼網や、前後方向に延びる棒状部材を備えた焼網、パンチングメタル等、任意のものを採用することができる。ただし、調理網２４の載置面２４１の下側の通風空間５０には、後述するようにコンベクションユニット４０から供給される高温の空気（コンベクションユニット４０から供給される高温の空気を熱気と称する場合がある）が流れるので、この熱気と被加熱物の下面とが接触できるようにするために、載置面２４１は、開口のない平板形状ではなく、空気の流通が可能な開口が形成されているのが好ましい。
【００２７】
調理室２０の後壁２０３には、背面吸込口２５と、この背面吸込口２５よりも低い位置に設けられた吹出口２６とが開口している。調理室２０は、背面吸込口２５及び吹出口２６を介して、コンベクションユニット４０の内部と連通している。
背面吸込口２５は、吸引ダクト３０を介して吸引される調理室２０内の空気を、コンベクションユニット４０に流入させるための開口部である。
【００２８】
吹出口２６は、コンベクションユニット４０から送られる熱気を調理室２０内に吹き出すための開口部である。吹出口２６から調理室２０内に吹き出された熱気により、被加熱物が加熱される。本実施の形態１では、概ね円形の複数の吹出口２６が設けられており、これら複数の吹出口２６は、幅方向に間隔をあけてほぼ同じ高さに設置されている。
吹出口２６の一部又は全部は、調理網２４の載置面２４１と受皿２３の底面との間の通風空間５０の高さの範囲内に配置されるのが好ましい。このようにすることで、吹出口２６から吹き出される空気の多くが、載置面２４１の下側の通風空間５０を流れるので、載置面２４１に載置される被加熱物の下部を効率よく加熱することができる。また、通風空間５０の高さの範囲内に、高さ位置の異なる複数の吹出口２６を設けてもよい。
【００２９】
また、吹出口２６は、調理室２０内において左右対称に設けられるのが好ましい。このようにすることで、吹出口２６から調理室２０内に供給される気流の左右方向における偏りを抑制することができ、被加熱物の加熱度合いのばらつきも抑制することができる。
なお、吹出口２６の数及び開口形状は、図示のものに限定されない。例えば、幅広の開口形状を有する一又は複数の吹出口２６を設けてもよい。
【００３０】
調理室扉２１の下部には、調理室２０内と連通する吸気用開口部２９が設けられている。吸気用開口部２９は、調理室排気ダクト４１を経て排気される調理室２０内の空気量に相当する量の空気を、調理室２０内に補うためのものである。吸気用開口部２９は、本実施の形態１では、調理室扉２１の下部であって前面から使用者が調理室扉２１を見たときに調理室扉２１の取っ手によって隠れる位置に、設けられている。このようにすることで、吸気用開口部２９が使用者に視認されにくく、意匠性がよい。
【００３１】
（吸引ダクト３０）
図３及び図４を参照して、吸引ダクト３０を説明する。
吸引ダクト３０は、調理室２０内の空気を、コンベクションユニット４０内に導くための通風路であり、大まかには上面ダクト３１と背面ダクト３２とによって構成されている。上面ダクト３１は、調理室２０の上壁２０１の上に設けられており、上壁２０１の手前側から奥側に向かって延びる略直線状の通風路を内部に形成する。上面ダクト３１の下面は、調理室２０の上壁２０１によって構成されている。上壁２０１の手前側には、上面ダクト３１への空気の流入口となる上面吸込口２７が開口しており、上壁２０１の奥側（後側）には、上面ダクト３１からの空気の流出口となる連通口２８が開口している。上面吸込口２７は、調理室２０の奥行き方向中央よりも手前側（調理室扉２１側）に開口している。上面ダクト３１の一端側に設けられた上面吸込口２７から上面ダクト３１内に流入した空気は、上面ダクト３１の他端側に設けられた連通口２８を通って背面ダクト３２に流入する。
【００３２】
背面ダクト３２は、調理室２０の上壁２０１に設けられた連通口２８と、後壁２０３に設けられた背面吸込口２５とを結ぶ通風路である。背面ダクト３２は、後壁２０３と背面ダクト３２内部との間に通風路を形成する。背面ダクト３２は、下方から上方に向かって調理室２０の内部方向（前面方向）に突出するように傾斜した傾斜面を有する背面ダクト前壁３２１と、この背面ダクト前壁３２１の側端部から背面側に向かって延び後壁２０３に接続される背面ダクト側壁３２２とを備えている。背面ダクト３２の上端において後壁２０３との間に形成される開口部は、上壁２０１に設けられた連通口２８に接続される。上面ダクト３１と背面ダクト３２とによって、上面吸込口２７から連通口２８を経て背面吸込口２５に至る通風路が形成される。
【００３３】
背面吸込口２５の周囲の後壁２０３であって、背面ダクト３２と対向する部分は、後方に向かって凹んでいる。この凹んだ部分を凹部２０４と称する。背面ダクト３２内の後壁２０３に凹部２０４が形成されたことにより、背面ダクト３２と後壁２０３（凹部２０４）との間の空間の容積が拡大されている。
【００３４】
上面ダクト３１の入口である上面吸込口２７には、触媒体３３が設けられている。触媒体３３は、複数の開口部を有する触媒体支持材３４によって上壁２０１に固定されている。触媒体３３は、通風可能な小孔を有しており、調理室２０から上面ダクト３１内に流入する空気に含まれる汚染物質の少なくとも一部を吸着して酸化分解し、空気の清浄度を高める機能を発揮する。なお、触媒体３３は、図４に示すように上壁２０１の下面に取り付けられていてもよいし、上面ダクト３１の内部に一部又は全部が挿入されていてもよい。
【００３５】
触媒体３３には、酸化触媒が添着されており、上ヒーター２２により加熱され触媒活性を得て、空気が通過するときに油煙や臭気成分等の物質を吸着して酸化分解を行い、空気を浄化する。触媒体３３に添着される酸化触媒としては、白金、パラジウム、マンガン等のいずれかまたはすべてを含んだものが用いられる。低温活性の白金やマンガンを含む触媒を用いることで、より高い浄化性能を得ることができる。
【００３６】
触媒体３３は、上壁２０１に設けられた上面吸込口２７内に設置されており、上ヒーター２２によって加熱される。上ヒーター２２によって触媒体３３の温度を高めることで、触媒体３３での汚染物の分解に係る化学反応速度が速まり、より多くの汚染物質が除去され、排気の清浄度を高めることができる。上ヒーター２２によって触媒体３３を加熱することができるので、触媒体３３を加熱するための専用の加熱手段を設ける必要もない。本実施の形態１では、上から見たときに触媒体３３と上ヒーター２２の少なくとも一部が重なるようにすることで、触媒体３３と上ヒーター２２とを近接配置し、触媒体３３が上ヒーター２２からの放射を受けることができるようにしている。なお、触媒体３３の触媒活性を得ることができるように触媒体３３及び上ヒーター２２の配置を決定すればよい。
【００３７】
（コンベクションユニット４０）
図５は、実施の形態１に係るコンベクションユニット４０の斜視図である。図３、図４、及び図５を参照してコンベクションユニット４０の構成を説明する。
コンベクションユニット４０は、調理室２０内の空気を吸い込んで加熱し、加熱した空気を再び調理室２０に供給するためのものである。コンベクションユニット４０は、内部に収容空間を有する加熱室４２と、加熱室４２内に収容されるコンベクションファン４３及びコンベクションヒーター４４と、コンベクションファン４３を回転させるモーター４５と、加熱室４２の後方に設けられモーター４５を収容するモーター収容ケース４６とを備える。加熱室４２を構成する加熱室後壁４２１の上部には、調理室排気ダクト４１が接続されている。加熱室４２の内部と調理室排気ダクト４１は連通している。調理室排気ダクト４１の出口側は、筐体排気口６に接続され、調理室排気ダクト４１から排出される排気は筐体排気口６から筐体１の外部へと流出する。
【００３８】
加熱室４２は、調理室２０の後壁２０３に設けられた吹出口２６を、後壁２０３の背面側から覆っている。すなわち、加熱室４２の内部に、複数の吹出口２６のすべてが配置されている。図５に示すように、本実施の形態１の加熱室４２は、上部の幅よりも下部の幅の方が大きく構成されており、この幅が拡大された加熱室４２の下部に対向して、吹出口２６が配置される。
【００３９】
コンベクションファン４３は、モーター４５の回転軸と固定され、モーター４５の動作により回転する。コンベクションファン４３は、空気を吸引する中央部分が、調理室２０の後壁２０３に設けられた背面吸込口２５に対面するようにして、加熱室４２内に配置されている。コンベクションファン４３が回転すると、その中央部から空気が吸引され、吸引された空気は羽根の外周部から送出される。モーター４５とコンベクションファン４３は、吸引ダクト３０を介して吸い込んだ調理室２０内の空気を、吹出口２６を介して調理室２０へ送る送風手段として機能する。
【００４０】
モーター４５は、ＤＣモーター又は誘導モーターである。モーター４５は、回転軸が後から前に向かって略水平の向きになるように設置されており、モーター４５の回転軸には、加熱室４２内に設けられたコンベクションファン４３が取り付けられている。調理室２０内における加熱調理動作中は、モーター４５の回転の有無や回転数等が制御手段によって制御される。
【００４１】
コンベクションヒーター４４は、加熱室４２内を加熱する加熱室加熱手段である。本実施の形態１では、コンベクションヒーター４４は、シーズヒーターで構成されており、加熱室４２内のコンベクションファン４３の下側に設けられている。図５に示すように、コンベクションヒーター４４は、加熱室４２の下部の一方の加熱室側壁４２２から他方の加熱室側壁４２２にわたってほぼ全域に配置されている。加熱室４２の下部は、吹出口２６と対向配置されるので、コンベクションヒーター４４も吹出口２６と対向配置される。
【００４２】
コンベクションヒーター４４の端子部４４１は、加熱室後壁４２１の右側に設けられた開口部から、外部へ突出している。図３に示すように、コンベクションヒーター４４の端子部４４１と上ヒーター２２の端子部２２１はともに、調理室２０の右側に配置されている。コンベクションヒーター４４の端子部４４１は、基板ユニット１１内の電子回路基板に配線接続され、コンベクションヒーター４４の加熱の有無や加熱量は、制御手段によって制御される。なお、本実施の形態１では、コンベクションヒーター４４としてシーズヒーターを用いる例を示すが、セラミックヒーター、ニクロム線ヒーター、ハロゲンランプヒーター、カーボンヒーター等のガラス管ヒーターを用いてもよい。
【００４３】
また、コンベクションヒーター４４は、その少なくとも一部が高さ方向において吹出口２６と重なるように配置されていることにより、コンベクションヒーター４４と吹出口２６とが近接配置されている。このようにコンベクションヒーター４４を吹出口２６に近づけて配置することで、コンベクションヒーター４４により加熱された空気温度をなるべく低下させることなく吹出口２６から吹き出すことができる。したがって、調理室２０内の被加熱物の加熱効率を高めることができる。なお、図５に示すコンベクションヒーター４４の形状及び配置は一例であり、図示のものに限定されない。
【００４４】
本実施の形態１では、コンベクションユニット４０は、調理室２０の背面の左側に配置されているので、調理室２０の背面の右側のスペースに、上ヒーター２２の端子部２２１及びコンベクションヒーター４４の端子部４４１を配置することができる。また、上ヒーター２２の端子部２２１及びコンベクションヒーター４４の端子部４４１が近くに配置されているので、加熱調理器１００を組み立てる際の結線作業が容易である。
なお、調理室２０の左右方向におけるコンベクションユニット４０の配置は、実施の形態１で例示したものに限定されない。例えば、コンベクションユニット４０を調理室２０の背面の中央に配置してもよい。
また、上ヒーター２２の端子部２２１及びコンベクションヒーター４４の端子部４４１の配置についても、実施の形態１で例示したものに限定されない。
【００４５】
図６は、実施の形態１に係るモーター収容ケース４６及びこれに付帯する構成の斜視図である。図６では、説明の関係上、モーター支持台４７を透視して示している。また、図７は、実施の形態１に係る調理室２０及びコンベクションユニット４０の平面図である。図７では、モーター収容ケース４６の内部を透視して示すとともに、空気の流れを矢印で概念的に示している。また、図８は、実施の形態１に係る調理室２０及びコンベクションユニット４０の側面図である。
図６〜図８に示すように、モーター収容ケース４６の中には、モーター４５と、モーター４５を加熱室４２の背面に固定するためのモーター支持台４７と、モーター冷却ファン４８とが収容されている。
【００４６】
モーター収容ケース４６は、例えば合成樹脂または金属で構成されており、モーター収容ケース４６内への空気の流入口となる冷却風吸込口４６１と、空気の吹出口となる冷却風吹出口４６２とが形成されている。本実施の形態１では、モーター収容ケース４６の後壁の左側に冷却風吸込口４６１が形成されている。また、モーター収容ケース４６の右側の側壁に相当する部分が開放されていて、この部分が冷却風吹出口４６２である。モーター収容ケース４６の上壁の一部には、上面開口４６４が形成されている。この上面開口４６４は、モーター収容ケース４６が加熱室４２に取り付けられたときに調理室排気ダクト４１の下側に位置し、上面開口４６４から流出するモーター収容ケース４６からの空気によって、調理室排気ダクト４１を冷却する。なお、この上面開口４６４を設けなくともよい。
【００４７】
また、モーター４５の端子部４５１は、本実施の形態１では、冷却風吹出口４６２の内部に配置されている。また、コンベクションヒーター４４の端子部４４１及び上ヒーター２２の端子部２２１は、モーター収容ケース４６の冷却風吹出口４６２の下流側に配置されている。
【００４８】
モーター支持台４７は、モーター４５の回転軸が挿入される孔４７５を有し背面側にモーター４５の本体が取り付けられる支持板４７１と、支持板４７１の四隅からそれぞれ加熱室４２側に向かって延び加熱室４２に取り付けられる脚部４７２とを有する。脚部４７２には、モーター支持台４７を加熱室４２の加熱室後壁４２１に固定するためのネジ穴が形成されている。モーター支持台４７は、金属等の熱伝導率の高い材料で構成されている。
【００４９】
モーター４５の本体と加熱室４２の加熱室後壁４２１との間には、奥行き方向に隙間が設けられている。この隙間を、バイパス風路４６３と称する。モーター支持台４７の支持板４７１及び脚部４７２の大半は、バイパス風路４６３内に設置されている。本実施の形態１では図６に示すように、上下に分かれて脚部４７２が設けられているので、支持板４７１の前側（加熱室４２側）の空間は左右方向に貫通しており、バイパス風路４６３においては左右方向に空気の流通が可能である。
【００５０】
モーター冷却ファン４８は、モーター４５に向けて送風する送風手段であり、モーター収容ケース４６の冷却風吸込口４６１からモーター収容ケース４６内に空気を吸い込み、吸い込んだ空気を冷却風としてモーター４５の方向に送る。モーター冷却ファン４８の吸込み側と、モーター収容ケース４６の側壁との間には通風可能な空間である通風路４９が設けられている。
【００５１】
図９は、図８のＡ−Ａ断面図である。図９では、空気の流れを矢印で概念的に示している。
図９に示すＤ１は回転軸を除くモーター４５の奥行き外形寸法、Ｄ２はバイパス風路４６３の奥行き寸法、Ｄ３はモーター冷却ファン４８の外径寸法である。これらＤ１、Ｄ２、及びＤ３は、以下の関係となるように構成されている。
Ｄ３＝Ｄ１＋Ｄ２（但し、Ｄ１及びＤ２は０より大きい）
モーター冷却ファン４８の外径寸法Ｄ３の範囲内、すなわちモーター冷却ファン４８から送られる風の流路幅の範囲内に、上記Ｄ１及びＤ２が配置されている。このような構成とすることで、モーター冷却ファン４８により送り出された冷却風の一部はＤ１の範囲に供給され、冷却風の一部はＤ２の範囲に供給される。
【００５２】
モーター冷却ファン４８から送られるＤ１の範囲の冷却風により、モーター４５の回転軸の軸受４５２及び端子部４５１を冷却することができるので、これらの部品の過度な高温化を抑制し、軸受４５２等の適正な寿命を保持することができる。
また、モーター冷却ファン４８から送られるＤ２の範囲の冷却風は、モーター支持台４７の脚部４７２の隙間を通って進み、その下流側に配置されている部材を冷却する。本実施の形態１では、モーター収容ケース４６の冷却風吹出口４６２の下流側に配置された、コンベクションヒーター４４の端子部４４１及び上ヒーター２２の端子部２２１を冷却することができる。
【００５３】
図１０は、実施の形態１に係る加熱調理器１００のコンベクションユニット４０近傍の背面図である。図１１は、実施の形態１に係る加熱調理器１００のコンベクションユニット４０近傍の背面側斜視図である。図１２は、実施の形態１に係る加熱調理器１００を一部破断して示す側面図である。
図１１、図１２に示すように、筐体１の背面の壁の下部には、下側が前方に向かって傾いた背面傾斜壁１３が設けられている。このような背面傾斜壁１３を設けて筐体１の背面下部の角を取っているのは、加熱調理器１００をキッチンの開口部に設置する際の作業性を考慮したものである。すなわち、加熱調理器１００の前側をキッチンの開口部に挿入し、続けて加熱調理器１００の背面側を下げつつキッチンの開口部に挿入する際に、筐体１の背面の下部がキッチンの開口部に引っかかりにくく、設置作業が容易となる。
【００５４】
そして、本実施の形態１では、図１０〜図１２に示すように、モーター収容ケース４６の冷却風吸込口４６１は、筐体１の背面に向かって開口している。また、筐体１には、冷却風吸込口４６１と連通する開口部（図示せず）が設けられている。上述のように、筐体１の背面下部には背面傾斜壁１３が設けられているので、キッチンに加熱調理器１００が設置された状態においては、背面傾斜壁１３の外側とキッチンとの間に空間が生じる。冷却風吸込口４６１を、筐体１の背面に向かって開口させることで、背面傾斜壁１３の外側とキッチンとの間の空間から冷却風となる空気を容易に吸い込むことができる。
【００５５】
［加熱調理器の動作］
次に、実施の形態１に係る加熱調理器１００の動作を説明する。
【００５６】
（トッププレート３上での加熱調理）
使用者がトッププレート３上の載置部９に鍋等の被加熱物を載置し、その載置部９に対応する操作部４を操作すると、基板ユニット１１内の電子回路基板に実装された制御手段が、トッププレート３の下方に設けられた誘導加熱コイルやラジエントヒーター等の加熱手段に電力を供給する。これにより、トッププレート３の上に載置された被加熱物の加熱調理が行われる。また、制御手段は、基板ユニット１１内に設けられた冷却ファンを駆動し、冷却ファンから供給される冷却風によって上述のように加熱調理器１００内の各部の冷却が行われる。
【００５７】
（調理室２０での加熱調理）
調理室２０内における加熱動作を、図４を参照して説明する。なお、図４では、空気の流れを矢印で概念的に示している。
使用者が調理室２０内の調理網２４の上に被加熱物を載置して調理室扉２１を閉じ、調理室２０に対応した操作部４を操作して加熱条件の設定を行うと、制御手段は、設定内容に応じた制御シーケンスにより、調理室２０内における加熱制御を開始する。より具体的には、制御手段は、調理室２０及び加熱室４２内にそれぞれ設けられた図示しない温度検知センサの検知温度、及び操作部４によって設定された設定条件に基づき、上ヒーター２２、コンベクションヒーター４４、及びモーター４５を動作させる。
【００５８】
上ヒーター２２が加熱を開始すると、上ヒーター２２の放射により、調理網２４に載置された被加熱物の上面が主に加熱される。
【００５９】
また、コンベクションヒーター４４が加熱を開始すると、コンベクションヒーター４４の放射により、加熱室４２内の空気が加熱される。
そして、モーター４５の動作によってコンベクションファン４３が回転すると、コンベクションファン４３に対向して開口している背面吸込口２５に吸引力が生じる。そうすると、背面吸込口２５と背面ダクト３２及び上面ダクト３１を介して連通する上面吸込口２７に吸引力が生じ、調理室２０内の空気が上面吸込口２７から上面ダクト３１内へと吸い込まれる。上面吸込口２７に吸い込まれる調理室２０内の空気は、上ヒーター２２の近傍を通過する際に、上ヒーター２２の放射によって加熱される。また、上面吸込口２７に吸い込まれる空気は、触媒体３３を通過する際に煙及び油煙が浄化され、また酸化分解の反応熱でさらに加熱される。また、上面ダクト３１内を流れる空気は、上面ダクト３１の下面を構成する調理室２０の上壁２０１からの伝熱によってさらに加熱される。
【００６０】
上面ダクト３１内を流れる空気は、連通口２８を通って背面ダクト３２に流入する。背面ダクト３２の背面ダクト前壁３２１は、その上部が調理室２０の内部に向かって傾斜しており、上面ダクト３１と背面ダクト３２との接続部分は鈍角であるので、上面ダクト３１と背面ダクト３２との接続部分における圧力損失が低減され、スムースに空気が流れる。
なお、背面ダクト前壁３２１の傾斜角度を大きくすると、上面ダクト３１と背面ダクト３２との接続部分における流路の曲がりが小さくなって圧力損失を低減することができる一方で、調理室２０内の容積が縮小されて調理室２０内に収容できる被加熱物の大きさが制限される。また、背面ダクト前壁３２１の傾斜角度を小さくすると、調理室２０内の容積を拡大することができる一方で、上面ダクト３１と背面ダクト３２との接続部分における圧力損失が相対的に大きくなる。このため、上面ダクト３１と背面ダクト３２との接続部分における圧力損失と、調理室２０内の容積とを考慮して、背面ダクト前壁３２１の傾斜角度を設定するのがよい。
【００６１】
背面ダクト３２に流入した空気は背面吸込口２５を通って加熱室４２内に流入する。背面吸込口２５の周囲の後壁２０３に凹部２０４を形成することにより、背面ダクト３２内の容積を拡大しているので、背面吸込口２５に空気を吸い込みやすい。
背面吸込口２５から加熱室４２内に流入した空気は、コンベクションファン４３の回転中心に吸い込まれ、コンベクションファン４３の羽根の外周へと送出される。
【００６２】
コンベクションファン４３から遠心方向に送出された空気の多くは、コンベクションファン４３の下側に設けられたコンベクションヒーター４４の近傍を通り、コンベクションヒーター４４によって加熱される。コンベクションヒーター４４によって加熱された空気は、コンベクションヒーター４４と対向する位置に設けられた吹出口２６から、調理室２０内へと吹き出される。コンベクションヒーター４４と吹出口２６とが対向しているので、コンベクションヒーター４４により加熱された高温の空気を吹出口２６から吹き出すことができる。
【００６３】
吹出口２６から吹き出された熱気は、調理網２４の載置面２４１と受皿２３との間の通風空間５０内を、調理室扉２１側に向かって流れる気流となる。調理網２４の載置面２４１の下側を流れる気流は、載置面２４１に載置された被加熱物の下面を主に加熱する。
【００６４】
調理網２４の載置面２４１の下側を調理室扉２１側に向かって流れる気流は、調理室扉２１に到達すると、調理室扉２１により上方に向きを曲げられ、上面吸込口２７に生じる吸引力によって上面吸込口２７へと吸い込まれる。上面吸込口２７に吸い込まれた空気は、上面ダクト３１及び背面ダクト３２を通って加熱室４２に流入し、加熱室４２内のコンベクションファン４３によって吹出口２６から調理室２０内に吹き出される。このように、調理室２０内の空気は、上ヒーター２２からの放射、触媒体３３の反応熱、上ヒーター２２によって加熱された調理室２０の上壁２０１からの伝熱、及びコンベクションヒーター４４によって加熱され、調理室２０内の被加熱物を加熱する。
【００６５】
また、加熱室４２内でコンベクションファン４３により送出された空気の一部は、調理室排気ダクト４１を経て、加熱調理器１００の外部に排気される。調理室排気ダクト４１から排気された調理室２０内の空気に相当する量の空気は、調理室扉２１と調理室２０との隙間（図示せず）又は吸気用開口部２９から調理室２０内に供給される。なお、本実施の形態１では、吸気用開口部２９を調理室扉２１の下部に設けているが、吸気用開口部２９を調理室扉２１の上部（すなわち調理網２４の載置面２４１の下側を流れる気流と高さ方向において対向する位置）に、設けてもよい。このようにすることで、載置面２４１の下側を流れる気流は、吸気用開口部２９から調理室２０内に供給される空気によって流れを乱されにくいので、調理室扉２１側に向かってまっすぐに流れやすい。したがって、調理網２４の載置面２４１に載置される被加熱物の下面の加熱ムラを抑制することができる。
【００６６】
上述のように調理室２０内において加熱動作が開始されると、制御手段は、モーター冷却ファン４８を駆動する。図７及び図９に示すように、モーター冷却ファン４８が回転すると、モーター収容ケース４６の冷却風吸込口４６１に吸引力が生じ、筐体１の外部から冷却風吸込口４６１に冷却風が吸い込まれる。筐体１の背面傾斜壁１３に冷却風吸込口４６１が開口しているので、背面傾斜壁１３とキッチンとの間の空間から効率よく冷却風を吸い込むことができる。
【００６７】
モーター収容ケース４６に流入した空気は、通風路４９を通り、モーター冷却ファン４８に吸い込まれ、冷却風として送り出される。モーター冷却ファン４８から送り出された冷却風の一部は、モーター４５の軸受４５２を冷却し、さらにその下流に位置するモーター４５の端子部４５１を冷却する。また、モーター冷却ファン４８から送り出された冷却風の一部は、モーター支持台４７の支持板４７１と加熱室４２の背面との間のバイパス風路４６３を通り、冷却風吹出口４６２から出て、コンベクションヒーター４４の端子部４４１及び上ヒーター２２の端子部２２１を冷却する。バイパス風路４６３を通る冷却風は、金属製のモーター支持台４７と接してこれを冷却するので、モーター支持台４７に取り付けられているモーター４５も間接的に冷却される。モーター収容ケース４６から出た冷却風は、筐体排気口６を通って筐体１の外部へと排出される。
【００６８】
このように、調理室２０内での加熱動作中には、モーター冷却ファン４８が送出する冷却風でモーター４５の軸受４５２、モーター４５の端子部４５１、コンベクションヒーター４４の端子部４４１、及び上ヒーター２２の端子部２２１を冷却することができる。したがって、これらの部品の過度な高温化を抑制することができる。
【００６９】
使用者が操作部４を操作して調理室２０における加熱停止を指示すると、あるいは予め定められた加熱時間が経過すると、制御手段は、調理室２０における加熱動作を停止する。
なお、モーター冷却ファン４８は、調理室２０における加熱動作を停止した後も、しばらく動作するようにしてもよい。このようにすることで、調理室２０における加熱調理によって高温化したモーター４５の軸受４５２、モーター４５の端子部４５１、コンベクションヒーター４４の端子部４４１、及び上ヒーター２２の端子部２２１を速やかに冷却することができる。
【００７０】
［実施の形態１の効果］
以上のように本実施の形態１では、コンベクションユニット４０により送出される空気を調理室２０の後壁２０３に設けた吹出口２６から吹き出し、調理室２０の前方の空気を、吸引ダクト３０を介してコンベクションユニット４０に吸引するようにした。高温の空気が奥から手前にわたって流れるので、調理網２４に載置された被加熱物を加熱することができる。
【００７１】
また、モーター冷却ファン４８を設け、このモーター冷却ファン４８から送られる冷却風の風路上に、コンベクションファン４３を駆動するモーター４５の軸受４５２、端子部４５１、コンベクションヒーター４４の端子部４４１、及び上ヒーター２２の端子部２２１を配置した。このため、一つのモーター冷却ファン４８を用いて、調理室２０内で加熱調理を行う際に動作する発熱部品を効率よく冷却することができる。モーター４５の軸受４５２を冷却して過度な高温化を抑制できるので、モーター４５の軸受４５２の適正な寿命を保持することができる。また、モーター４５の端子部４５１、コンベクションヒーター４４の端子部４４１、及び上ヒーター２２の端子部２２１を冷却することで、これらの端子部が耐熱温度を超えて破損するのを抑制することができる。
【００７２】
また、モーター冷却ファン４８の外径寸法Ｄ３よりも、回転軸を除くモーター４５の奥行き寸法Ｄ２を小さくし、モーター４５の軸受４５２の手前側（加熱室４２側）にモーター冷却ファン４８から送られる冷却風が通るバイパス風路４６３を設けた。このため、モーター冷却ファン４８が送出する冷却風の一部は、モーター４５の軸受４５２等と接触せず比較的低温状態が保たれたまま、モーター４５の端子部４５１、コンベクションヒーター４４の端子部４４１、及び上ヒーター２２の冷却に用いられる。したがって、モーター４５の端子部４５１、コンベクションヒーター４４の端子部４４１、及び上ヒーター２２を効果的に冷却することができる。
【００７３】
また、バイパス風路４６３内に、モーター４５を支持するモーター支持台４７を設置した。このため、モーター収容ケース４６の奥行き寸法を最小限として、上述のようなモーター冷却ファン４８の冷却効果を得ることができる。
【００７４】
また、モーター４５の端子部４５１、コンベクションヒーター４４の端子部４４１、及び上ヒーター２２の端子部２２１の配置箇所を、一箇所に集中させているので、加熱調理器１００を組み立てる際の配線の接続作業が容易である。
【００７５】
なお、実施の形態１では、吸引ダクト３０を介して調理室２０内の空気を背面吸込口２５から加熱室４２に吸い込むことを説明したが、吸引ダクト３０を設けず、調理室２０の後壁２０３に設けられた背面吸込口２５から調理室２０内の空気を吸い込むようにしてもよい。
【符号の説明】
【００７６】
１  筐体、２  筐体上枠、３  トッププレート、４  操作部、５  筐体吸気口、６  筐体排気口、７  吸排気口カバー、８  表示部、９  載置部、１０  仕切板、１１  基板ユニット、１２  冷却風吹出口、１３  背面傾斜壁、２０  調理室、２１  調理室扉、２２  上ヒーター、２３  受皿、２４  調理網、２５  背面吸込口、２６  吹出口、２７  上面吸込口、２８  連通口、２９  吸気用開口部、３０  吸引ダクト、３１  上面ダクト、３２  背面ダクト、３３  触媒体、３４  触媒体支持材、４０  コンベクションユニット、４１  調理室排気ダクト、４２  加熱室、４３  コンベクションファン、４４  コンベクションヒーター、４５  モーター、４６  モーター収容ケース、４７  モーター支持台、４８  モーター冷却ファン、４９  通風路、５０  通風空間、１００  加熱調理器、１１１  基板ケース、２０１  上壁、２０２  側壁、２０３  後壁、２０４  凹部、２２１  端子部、２４１  載置面、２４２  脚部、３２１  背面ダクト前壁、３２２  背面ダクト側壁、４２１  加熱室後壁、４２２  加熱室側壁、４４１  端子部、４５１  端子部、４５２  軸受、４６１  冷却風吸込口、４６２  冷却風吹出口、４６３  バイパス風路、４６４  上面開口、４７１  支持板、４７２  脚部、Ｄ２  奥行き寸法、Ｄ３  外径寸法。
【図１】
2014059128.tif 000003
【図２】
2014059128.tif 000004
【図３】
2014059128.tif 000005
【図４】
2014059128.tif 000006
【図５】
2014059128.tif 000007
【図６】
2014059128.tif 000008
【図７】
2014059128.tif 000009
【図８】
2014059128.tif 000010
【図９】
2014059128.tif 000011
【図１０】
2014059128.tif 000012
【図１１】
2014059128.tif 000013
【図１２】
2014059128.tif 000014